(57)【要約】【課題】電力供給用電源が停電したときに補機を開閉する遮断器が開路されるが、その際に制御回路に過大な電流が流れることを防止できる負荷開閉手段の制御装置を得る。【解決手段】主回路母線低電圧検出部２１が主回路３の停電を検出すると低電圧信号を発し、励磁指令発信部２３が遮断器４ａのトリップコイルを励磁する励磁指令を出し、遮断器４ａを開路させる。遮断器４ａが開路すると遮断器開信号発信部２２が動作して遮断器４ａの開信号が発信され、低電圧信号と遮断器４ａの開信号とのＡＮＤ条件で、遮断器４ｂのトリップコイルの励磁指令が出される。このようにして、一斉開路を避け、遮断器４ａから４ｎを順次開路するので、制御回路に開路にともなう過大な制御電流が流れない。【選択図】図１
2010154702.tif 000002
【特許請求の範囲】
【請求項１】
電力供給用電源に負荷を接続する複数の負荷開閉手段を制御する制御手段を備えた負荷開閉手段の制御装置であって、
上記負荷開閉手段は、開閉接点と引外しコイルとを有し、上記引外しコイルが制御電源により励磁されることにより上記開閉接点を開路するものであり、
上記制御手段は、上記電力供給用電源の電圧が所定値を下回ったとき上記負荷開閉手段の上記引外しコイルを励磁する励磁指令を所定の順序で発するものである
負荷開閉手段の制御装置。
【請求項２】
上記制御手段は、上記励磁指令を所定の順序でかつ先に発信された上記励磁指令により上記負荷開閉手段の上記開閉接点が開路したとき次の励磁指令を発するものであることを特徴とする請求項１に記載の負荷開閉手段の制御装置。
【請求項３】
上記制御手段は、それぞれ決められた動作時限後に計時信号を発する複数の計時手段を有し、順次発信される上記計時信号に基づいて上記励磁指令を発するものであることを特徴とする請求項１に記載の負荷開閉手段の制御装置。
【請求項４】
上記制御手段は、上記負荷開閉手段の開路の優先順位の高いものから順にその引外しコイルが励磁されるように上記計時信号と上記励磁指令とが対応しているものであることを特徴とする請求項３に記載の負荷開閉手段の制御装置。
【請求項５】
上記制御手段は、上記負荷の運転中の電流を記憶する電流記憶手段を有し、上記運転中の電流が大きい上記負荷に対応する上記負荷開閉手段ほど上記優先順位が高いとするものであることを特徴とする請求項４に記載の負荷開閉手段の制御装置。
【請求項６】
上記制御手段は、上記制御電源から上記引外しコイルに流れる励磁電流を測定する励磁電流測定手段を有し、先に発信される上記励磁指令により励磁される上記引外しコイルの上記励磁電流が所定値以下になったことを条件に次の励磁指令を発するものであることを特徴とする請求項１ないし請求項５のいずれか１項に記載の負荷開閉手段の制御装置。
【請求項７】
上記制御手段は、上記制御電源の電圧を測定する電圧測定手段を有し、上記制御電源の電圧が所定値以上に復帰したことを条件に次の励磁指令を発するものであることを特徴とする請求項１ないし請求項５のいずれか１項に記載の負荷開閉手段の制御装置。
【請求項８】
上記制御手段は、上記複数の負荷開閉手段を複数のグループに分けるグループ化手段を有し、同一の上記グループに属する上記負荷開閉手段の上記引外しコイルを同時に励磁するように上記励磁指令を発するものであることを特徴とする請求項１ないし請求項７のいずれか１項に記載の負荷開閉手段の制御装置。
【請求項９】
上記グループ化手段は、上記グループ内の上記負荷開閉手段の上記励磁電流の合計値が所定値を超えないようにグループ化を行うものであることを特徴とする請求項８に記載の負荷開閉手段の制御装置。
【請求項１０】
上記グループ化手段は、上記制御電源の電圧を測定する電圧測定手段を有し、上記制御電源の電圧と同一グループ内の上記負荷開閉手段の上記励磁電流による上記制御電源の電圧降下との差が所定値を超えないようにグループ化を行うものであることを特徴とする請求項８に記載の負荷開閉手段の制御装置。
【発明の詳細な説明】
【技術分野】
【０００１】
この発明は、負荷を開閉する負荷開閉手段の制御装置に関するものである。
【背景技術】
【０００２】
従来、例えば発電プラントにおいて、大容量の補機用の遮断器の制御電源として直流電源が採用されている。そして、停電が発生した場合にも、プラント蓄電池にて制御用の電力を供給できるので、補機の運転／停止を行う遮断器の開または閉状態は、補機の主電源が停電した場合でも維持されるようになっている。しかし、ある一定時間以上の停電が発生した場合には、次に復電した際に多数の補機が同時に起動して主電源から補機に電力を供給する主回路に大きな起動電流が流れる。これを防止するために、主電源が停電したことを検出して閉状態にある遮断器を開路するようにされている（例えば、特許文献１参照）。
【０００３】
具体的には、補機の主回路電源が停電した場合に、主回路の電圧がなくなることから主回路の低電圧を検出して、同時に複数の補機の遮断器に開路指令すなわち当該遮断器のトリップコイルを同時に励磁する励磁指令を出していた。この方法では、遮断器のトリップコイルの励磁電流が制御回路に同時に流れることになる。
【０００４】
【特許文献１】特開２００８−０４３１９０号公報（段落番号０００４〜０００８、図１４及び図１５）
【発明の開示】
【発明が解決しようとする課題】
【０００５】
従来の負荷開閉手段の制御装置は以上のように構成され、補機の主電源が停電したことを検出して同時に複数の補機を停止していたため、制御電源に接続される多数の遮断器のトリップコイルの励磁電流が同時に制御回路に流れる。このため、同時に流れるトリップコイルの励磁電流の合計値に基づいて、電圧降下が基準を超えないように外部ケーブルのサイズを選定していた。また、通常の運転時の使用電流と比べ、トリップコイルの励磁電流は非常に大きく、電圧降下を抑制するためにサイズの大きいケーブルを採用する必要がある。このため、ケーブルサイズ及び接続する端子台も大きくなり、コストの増加を招いていた。また、トリップコイルの励磁電流が大きいと、トリップコイル等を制御するための直流の制御電源に瞬時電圧低下が発生し、制御電源系統の電圧変動の観点からも好ましくないという問題点もあった。
【０００６】
この発明は上記のような問題点を解決するためになされたものであり、電力供給用電源が停電したときに負荷を開閉する負荷開閉手段例えば遮断器が開路されるが、その際に負荷開閉手段の制御回路に負荷開閉手段の開路にともなう過大な電流が流れることを防止できる負荷開閉手段の制御装置を得ることを目的とする。
【課題を解決するための手段】
【０００７】
この発明に係る負荷開閉手段の制御装置は、
電力供給用電源に負荷を接続する複数の負荷開閉手段を制御する制御手段を備えた負荷開閉手段の制御装置であって、
負荷開閉手段は、開閉接点と引外しコイルとを有し、引外しコイルが制御電源により励磁されることにより開閉接点を開路するものであり、
制御手段は、電力供給用電源の電圧が所定値を下回ったとき負荷開閉手段の引外しコイルを励磁する励磁指令を所定の順序で発するものである。
【発明の効果】
【０００８】
この発明は、電力供給用電源に負荷を接続する複数の負荷開閉手段を制御する制御手段を備えた負荷開閉手段の制御装置であって、
負荷開閉手段は、開閉接点と引外しコイルとを有し、引外しコイルが制御電源により励磁されることにより開閉接点を開路するものであり、
制御手段は、電力供給用電源の電圧が所定値を下回ったとき負荷開閉手段の引外しコイルを励磁する励磁指令を所定の順序で発するものであるので、
電力供給用電源が停電したときに負荷を開閉する負荷開閉手段例えば遮断器が開路されるが、その際に負荷開閉手段の制御回路に負荷開閉手段の開路にともなう過大な電流が流れることを防止できる。
【発明を実施するための最良の形態】
【０００９】
実施の形態１．
図１〜図３は、この発明を実施するための実施の形態１を示すものであり、図１は補機の主回路結線図、図２は負荷開閉手段の制御装置の構成を示す構成図、図３は制御ロジック図である。図１において、電力供給用電源である電力会社の電力系統に接続された受電用変圧器１に二次側遮断器２を介して主回路母線３が接続されている。主回路母線３に遮断器群４を介して補機群５が接続されている。遮断器群４は負荷開閉手段としてのｎ台の遮断器４ａ〜４ｎを有し、補機群５はｎ台の負荷としての補機５ａ〜５ｎを有し、各補機５ａ〜５ｎはそれぞれ遮断器４ａ〜４ｎを介して主回路母線３に接続されている。
【００１０】
これらの遮断器４ａ〜４ｎは、引外しコイルとしてのトリップコイル４ａｔ〜４ｎｔ（図２参照）及び図示しない投入コイルを有する。なお、遮断器４ａ〜４ｎは、プラントの管理上予め割り付けられた番号である。この番号は、例えば補機５ａ〜５ｎを、その機能に応じて区分し機能別にかつ同一機能内の補機について設置位置順に一連の番号が付されたものであり、例えば送水系統、分配系統のように機能別に区分され、さらに送水系統にについて１〜５号送水ポンプというように区分され、一連の番号が付されている。遮断器の開路は、詳細は後述するがこの実施の形態においては所定の順序としての上記番号順に行われる。また、主回路母線低電圧検出部２１、遮断器開信号発信部２２、励磁指令発信部２３（詳細後述）及び計器用変圧器３１が設けられている。なお、主回路母線低電圧検出部２１、遮断器開信号発信部２２、励磁指令発信部２３がこの発明における制御手段を構成している。
【００１１】
図２において、主回路母線低電圧検出部２１は、低電圧リレー７を有し、計器用変圧器３１（図１参照）を介して主回路母線３の電圧を検出し、主回路母線３の電圧が所定値例えば主回路母線の定格電圧の７０％を下回ったとき低電圧リレー７を動作させ、その低電圧リレー接点７ａを閉成することにより低電圧停止指令を発信する。遮断器開信号発信部２２は、補助リレー１１ａ〜１１（ｎ−１）を有し、遮断器４ａ，４ｂ，４ｃ，・・  、４（ｎ−１）が開路すると補助リレー１１ａ〜１１（ｎ−１）の補助リレー接点１１ａａ〜１１（ｎ−１）ａが閉成される。
【００１２】
制御回路母線３４は、直流の制御電源１０に外部ケーブル９及び端子台３５を介して接続されている。制御回路母線３４には、低電圧リレー接点７ａを介して遮断器４ａのトリップコイル４ａｔが接続されている。同様に低電圧リレー接点７ａ及び補助リレー接点１１ａａを介して遮断器４ｂのトリップコイル４ｂｔが接続されている。低電圧リレー接点７ａ及び補助リレー接点１１ｂａを介して遮断器４ｃのトリップコイル４ｃｔが接続されている。低電圧リレー接点７ａ及び補助リレー接点１１（ｎ−１）ａを介して遮断器４ｎのトリップコイル４ｎｔが接続されている。なお、図２において、低電圧リレー接点７ａ及びこの低電圧リレー接点７ａとそれぞれ直列に接続された補助リレー接点１１ａａ〜１１（ｎ−１）ａとにより励磁指令発信部２３が構成されている。
【００１３】
次に動作について説明する。図２において、主回路母線３の電圧が所定値例えば主回路母線の定格電圧の７０％を下回ったとき、主回路母線低電圧検出部２１は低電圧リレー７を動作させ、その低電圧リレー接点７ａを閉成する。また、遮断器開信号発信部２２においては、遮断器４ａ〜４ｎが開路すると補助リレー１１ａ〜１１（ｎ−１）が励磁され補助リレー接点１１ａａ〜１１（ｎ−１）ａが閉成される。これにより、図２及び図３に示すように、低電圧リレー７が動作すると、まず励磁指令としての低電圧リレー接点７ａが閉成されることによりトリップコイルａｔが励磁され、遮断器４ａが開路する。
【００１４】
次いで、遮断器４ａが開路すると、補助リレー１１ａが励磁され、その補助リレー接点１１ａａが閉成し、励磁指令としての低電圧リレー接点７ａの閉成及び補助リレー接点１１ａａの閉成のＡＮＤ条件により、遮断器４ｂのトリップコイル４ｂｔを励磁する励磁指令が発せられることになり、トリップコイル４ｂｔが励磁される。このように、低電圧リレー接点７ａの閉成及び直前にトリップコイルが励磁された遮断器が開路したこととのＡＮＤ条件により、各遮断器４ａ〜４ｎのトリップコイル４ａｔ〜４ｎｔを励磁する励磁指令が順次発信され、遮断器４ａ→４ｂ→４ｃ→・・    →４ｎの順に開路する。なお、上記実施の形態において、主回路母線の定格電圧の７０％を下回ったときの代わりに補機の運転可能最低電圧の例えば１０５％を下回ったときにトリップコイルの励磁指令が発信されようにしてもよい。
【００１５】
これにより、遮断器群４の遮断器４ａ〜４ｎはそのトリップコイル４ａｔ〜４ｎｔが同時に励磁されないため、制御電源１０から供給される電流すなわち制御回路の電流の最大値を１台分の遮断器のトリップコイルの励磁電流に抑えることが可能となる。その結果、制御電源１０への接続用の外部ケーブル９のサイズを低減できる。また、端子台３５の電流容量及び寸法を小さくすることが可能となる。
【００１６】
実施の形態２．
図４、図５は実施の形態２を示すものであり、図４は負荷開閉手段の制御装置の構成を示す構成図、図５は制御ロジック図である。実施の形態１では、遮断器の順次開路を、低電圧リレー７が動作したことと直前にそのトリップコイルが励磁された遮断器の開信号が発信されていることとをＡＮＤ条件とすることで行ったが、この実施の形態においては、タイマーリレーを有する計時信号発信部を設け、動作時限値をずらして順次停止を行う。
【００１７】
図４において、計時手段としての計時信号発信部４２は、遮断器４ａ〜４ｎに対応するｎ個のタイマーリレー４２ａ〜４２ｎを有する。なお、タイマーリレー４２ａ〜４２ｎはそれぞれタイマーリレー接点４２ａａ〜４２ｎａを有する。そして、低電圧リレー接点７ａ及びこの低電圧リレー接点７ａとそれぞれ直列に接続されたタイマーリレー接点４２ａａ〜４２ｎａとにより励磁指令発信部４３が構成されている。なお、主回路母線低電圧検出部２１、計時信号発信部４２、励磁指令発信部４３がこの発明における制御手段を構成している。
【００１８】
そして、図４及び図５に示すように、計時信号としての低電圧リレー接点７ａの閉成を条件に、各タイマーリレー４２ａ〜４２ｎの動作によりそのタイマーリレー接点４２ａａ〜４２ｎａが閉成されると、タイマーリレー４２ａ〜４２ｎの動作順に各遮断器４ａ〜４ｎに励磁指令が発信され、そのトリップコイル４ａｔ〜４ｎｔが励磁され、遮断器が開路する。ここで、補機をＡ→Ｂ→Ｃ→・・・    →ｎの順に停止させる場合は、図５に示すようにタイマーリレーの動作時限値をａ＜ｂ＜ｃ＜ｎとなるように設定する。この動作時限値は、遮断器４ａ〜４ｎの開極時間に応じて例えば５０〜１００ｍｓ程度の時間差を設ける。
【００１９】
この結果、実施の形態１と同様に、遮断器４ａ〜４ｎは順次引外し動作が行われることになり、制御回路のケーブルのサイズを低減できる。また、端子台のサイズを小さくすることが可能となる。
【００２０】
実施の形態３．
図６、図７は実施の形態３を示すものであり、図６は負荷開閉手段の制御装置の構成を示す構成図、図７は制御ロジック図である。遮断器４ａ〜４ｎを順次開路させる場合、途中で復電した場合に起動電流による系統への悪影響を抑制するために起動電流の大きい補機に対応する遮断器を優先的に開路させるなど、開路順序を任意に設定したい場合がある。上記実施の形態２では、順次開路する遮断器の順序は固定であったが、この実施の形態においては、必要に応じて遮断器の開路順序を変えることができるよう、優先順位パラメータ設定手段を持ち、優先順位パラメータに従ってタイマーリレーの動作時限値を変更し、開路順序を所定の順序としての所望の順序に入れ替える。
【００２１】
図６において、計時手段としての計時信号発信部５２は、優先順位パラメータ設定手段５４とタイマーリレー５２ａ〜５２ｎを有する。なお、タイマーリレー５２ａ〜５２ｎはそれぞれタイマーリレー接点５２ａａ〜５２ｎａを有する。優先順位パラメータ設定手段５４における優先順位バラメータは補機ごとにすなわち遮断器ごとに任意に設定可能である。なお、図６において、低電圧リレー接点７ａ及びこの低電圧リレー接点７ａとそれぞれ直列に接続されたタイマーリレー接点５２ａａ〜５２ｎａとにより励磁指令発信部５３が構成されており、図６及び図７に示すように低電圧リレー接点７ａ及び計時信号としてのタイマーリレー接点５２ａａ〜５２ｎａが閉成することにより、各遮断器に励磁指令が発信される。なお、主回路母線低電圧検出部２１、計時信号発信部５２、励磁指令発信部５３がこの発明における制御手段を構成している。
【００２２】
この優先順位バラメータを設定することにより、停電時の遮断器の開路順序を任意に変更することが可能となり、例えば起動電流の大きい補機に対応する遮断器ほど優先順位が高くなるように設定して起動電流の大きい補機を優先的に停止させることにより（厳密には停電により遮断器を開路する前に補機が停止している場合もありうるが）、遮断器を順次開路動作（引外し動作）させている途中で、復電した場合にも、起動電流の大きい補機が起動するのを防止でき、系統への悪影響を小さく抑えることができるという効果がある。
【００２３】
実施の形態４．
図８〜図１０は、この発明を実施するための実施の形態４を示すものであり、図８は補機の主回路結線図、図９は負荷開閉手段の制御装置の構成を示す構成図、図１０は制御ロジック図である。遮断器を順次開路させる場合、途中で復電した場合に系統への悪影響を抑制するために運転時の負荷電流が大きい負荷を最初に停止したい場合がある。プラント運転中は、補機はポンプやファンなど負荷側の要求により出力が決定されている。この実施の形態において、プラント負荷運転中の補機電流（負荷電流）を記憶する補機電流記憶部を設け、そのときの運転状態により補機電流が大きいものから停止の優先順位をつけることができるようにしたものである。
【００２４】
図８において、電流記憶手段としての補機電流記憶部６１は、変流器８ａ〜８ｎにて測定された補機５ａ〜５ｎの運転中の負荷電流を記憶する。図９において、計時手段としての優先順位演算部６２は、補機５ａ〜５ｎの運転中の負荷電流に基づいて、当該補機に対応する遮断器の開路順位を決定する。すなわち、所定の順序としての運転中の負荷電流が大きい順に補機を停止させるように、優先順位パラメータを決定する。そして、決定された順序で当該補機に対応する遮断器を開路するようにタイマーリレー６２ａ〜６２ｎの動作時限値を設定する。なお、主回路母線低電圧検出部２１、補機電流記憶部６１、優先順位演算部６２、励磁指令発信部６３がこの発明における制御手段を構成している。
【００２５】
タイマーリレー６２ａ〜６２ｎが動作すれば、計時信号としてのタイマーリレー接点６２ａａ〜６２ｎａが閉成され、各遮断器４ａ〜４ｎのトリップコイル４ａｔ〜４ｎｔを励磁する励磁指令を発する。励磁指令は、図９において、低電圧リレー接点７ａ及びこの低電圧リレー接点７ａとそれぞれ直列に接続されたタイマーリレー接点６２ａａ〜６２ｎａとにより励磁指令発信部６３が構成され、この励磁指令発信部６３から発信されることになる。
【００２６】
例えば、優先順位演算部６２によって決定された優先順位パラメータが図１０に示すような順序であったとする。この場合、タイマーリレー６２ｂ、６２ｃ、６２ａ・・の順にその時限値が短く設定される。そして、まず最初にタイマーリレー６２ｂが動作してタイマーリレー接点６２ｂａが閉成され、遮断器４ｂ引外しコイル励磁指令が発信され、遮断器４ｂが開路する。続いて、タイマーリレー６２ｃが動作して、遮断器４ｃ引外しコイル励磁指令が発信され、遮断器４ｃが開路する。以下、同様にして遮断器が開路される。
【００２７】
以上のように、補機の負荷電流に基づいて優先順位パラメータを設定することにより、負荷電流の大きい補機から順に停止することが可能となり、停電後に複電した場合にも、電流の大きい補機の起動を防止することができ、系統への悪影響を抑制することができるという効果がある。
【００２８】
実施の形態５．
図１１、図１２は実施の形態５を示すものであり、図１１は負荷開閉手段の制御装置の構成を示す構成図、図１２は制御ロジック図である。この実施の形態は、実施の形態１の構成に、直前に励磁された遮断器のトリップコイルの励磁電流が所定値以下に低下していることを確認してから、次の遮断器のトリップコイルの励磁を行う構成を加えたものである。図１１において、励磁電流測定手段としての電流監視装置７２は、電流リレー７２ａを有する。電流リレー７２ａは電流リレー補助接点７２ａａを有する。電流監視装置７２は、シャント７６を介して制御回路母線３４の直流電流を測定し、当該直流電流が所定値以下、例えば遮断器のトリップコイルの励磁電流のピーク値の５０％以下のとき電流リレー７２ａを励磁し、電流リレー補助接点７２ａａを閉成する。
【００２９】
励磁指令発信部７３は、低電圧リレー接点７ａ及びこの低電圧リレー接点７ａとそれぞれ直列に接続された補助リレー接点１１ａａ〜１１ｎａと電流リレー補助接点７２ａａとの直列回路とにより構成されており、図１１及び図１２に示すように各接点が閉成することによりトリップコイルの励磁指令が発信される。すなわち、先に励磁された遮断器が開路しており、かつ制御回路母線の電流が所定値以下であるときにトリップコイルの励磁指令が発信され、遮断器４ａ〜４ｎが順次開路される。なお、主回路母線低電圧検出部２１、遮断器開信号発信部２２、電流監視装置７２、励磁指令発信部７３がこの発明における制御手段を構成している。
【００３０】
この実施の形態によれば、電流リレー補助接点７２ａａの閉成は、制御回路の電流が所定の設定値以下に収まったことの条件信号であり、これによって、遮断器の開路時に先に励磁された遮断器の励磁電流が所定値を超えている場合には次の遮断器のトリップコイルを励磁しないようにし、確実に電流が小さくなってからトリップコイルを励磁し、過大な電流が制御回路に流れることを防止できるという効果がある。
【００３１】
実施の形態６．
図１３、図１４は実施の形態６を示すものであり、図１３は負荷開閉手段の制御装置の構成を示す構成図、図１４は制御ロジック図である。実施の形態１において、遮断器を開路させるときにトリップコイルを励磁すると制御回路に大電流が流れるため、回路電圧が低下する。この実施の形態においては、遮断器を順次開路させる際に、制御電源の直流電圧が正常値に復帰していることを確認してから次の遮断器のトリップコイルを励磁するようにしたものである。図１３において、電圧測定手段としての電圧監視装置８１は電圧リレー８１ａを有する。電圧監視装置８１は、制御回路母線３４の直流電圧を測定し、当該直流電圧が所定値以上のとき電圧リレー８１ａを励磁し、電圧リレー補助接点８１ａａを閉成する。
【００３２】
励磁指令発信部８３は、低電圧リレー接点７ａ及びこの低電圧リレー接点７ａとそれぞれ直列に接続された補助リレー接点１１ａａ〜１１ｎａと電圧リレー補助接点８１ａａとの直列回路とにより構成されており、図１３及び図１４に示すように各接点が閉成することによりトリップコイルの励磁指令が発信される。すなわち、先に励磁された遮断器が開路しており、かつ制御回路の電圧が所定値以上例えば制御電源の定格電圧の８５％以上であるときにトリップコイルの励磁指令が発信され、遮断器４ａ〜４ｎが順次開路される。なお、主回路母線低電圧検出部２１、遮断器開信号発信部２２、電圧監視装置８１、励磁指令発信部８３がこの発明における制御手段を構成している。なお、上記実施の形態の形態において、制御電源の定格電圧の８５％以上であるときの代わりに遮断器のトリップコイルの最低動作電圧の例えば１１０％以上のときにトリップコイルの励磁指令が発信されようにしてもよい。
【００３３】
この実施の形態によれば、電圧リレー補助接点８１ａの閉成は、制御回路の電圧が所定値以上に回復したことの条件信号であり、これによって、遮断器の開路時に先に励磁された遮断器の励磁電流の影響により制御回路（制御回路母線３４）の電圧が所定値未満の場合には次の遮断器のトリップコイルを励磁しないようにし、確実に電圧が回復してからトリップコイルを励磁し、過大な電流が制御回路に流れ大きな電圧降下を来すことを防止できるという効果がある。
【００３４】
実施の形態７．
図１５、図１６は実施の形態７を示すものであり、図１５は負荷開閉手段の制御装置の構成を示す構成図、図１６は制御ロジック図である。上記実施の形態２においては、遮断器の順次開路は１台ごとに行っていたが、ケーブルサイズの余裕や制御回路の電圧降下に余裕がある場合、複数台の遮断器を同時に開路してもよいことになる。この実施の形態においては、複数台の遮断器を幾つかのグループに分割し、順次停止をグループごとに行うものである。
【００３５】
図１５において、グループ化手段としてのグループ化部１１２は、補助リレー１１２ａ〜１１２ｎを有する。補助リレー１１２ａ〜１１２ｎは、補助リレー接点１１２ａａ〜１１２ｎａを有する。グループ化部１１２は、同時開路可能な遮断器をそのトリップコイルの励磁電流に基づいて決定しグループ化を行う。この同時開路可能な遮断器のトリップコイル励磁電流は所定の値、例えばトリップコイルが励磁され制御電源１０の電圧降下が起きても、制御電源の定格電圧の８５％以上の電圧を確保できるような電流に設定される。そして、同じグループに属する遮断器に対して同時に励磁指令を発する。例えば、図１６に示すように遮断器４ａと遮断器４ｂとが同じグループに属するようにされている場合、遮断器４ａと遮断器４ｂの各トリップコイルに励磁指令が同時に出される。
【００３６】
励磁指令発信部１１３は、低電圧リレー接点７ａ及びこの低電圧リレー接点７ａとそれぞれ直列に接続された補助リレー接点１１２ａａ〜１１２ｎａとにより構成されており、図１５及び図１６に示すように各接点が閉成することによりトリップコイルの励磁指令が発信される。すなわち、停電時には、グループごとに同時に出される励磁指令により、当該遮断器のトリップコイルが同時に励磁され開路する。この開路は、グループ単位で予め決められた順序で行われる。なお、主回路母線低電圧検出部２１、グループ化部１１２、励磁指令発信部１１３がこの発明における制御手段を構成している。
【００３７】
これによって、全ての遮断器の開路が完了するまでの時間を短縮できる。その結果、順次開路の途中で復電して補機が起動し系統やプラントに悪影響を及ぼすおそれを小さくできるという効果がある。
【００３８】
実施の形態８．
図１７、図１８は実施の形態８を示すものであり、図１７は負荷開閉手段の制御装置の構成を示す構成図、図１８は制御ロジック図である。上記実施の形態７では、同時に停止可能な補機の台数を予め固定していたが、この実施の形態においては、運転状態によって同時に停止可能な補機台数を演算してグループを形成する。遮断器を同時に開路するときに問題となるのは制御回路の電圧が許容電圧例えば制御電源の定格電圧の７０％を下回ることである。しかも、制御回路の電圧はそのときの制御回路の負荷により変動する。そこで、この実施の形態においては、制御回路の電圧が変動しても遮断器のトリップコイルの励磁により許容電圧を下回ることがないように各遮断器をグループ化したものである。
【００３９】
図１７において、電圧測定手段としての電圧測定装置８１は制御開路母線３４の電圧を測定し、測定電圧Ｖ１を電圧降下演算及びグループ化部１２２へ送信する。電圧降下演算及びグループ化部１２２は、測定電圧Ｖ１と予め決められた最低許容電圧Ｖ０との差ΔＶ＝Ｖ１−Ｖ０を算出する。そして、この差ΔＶが所定値例えば制御電源の定格電圧の１０％を超えないようにする。ここで、遮断器１台を開路する場合のトリップコイルの励磁電流による電圧降下をΔＶｍとすると、Ｍ＝ΔＶ÷ΔＶｍが同時に励磁可能な台数となる。電圧降下演算及びグループ化部１２２は、この同時に励磁可能な台数を求め、遮断器４ａ〜４ｎを幾つかのグループにグループ化する。例えば、図１８に示すように遮断器４ｂと遮断器４ｃとが同じグループにまとめられる。そして、同じグループに属する遮断器４ｂ，４ｃに対しては同時に励磁指令が発信される。
【００４０】
励磁指令発信部１２３は、低電圧リレー接点７ａ及びこの低電圧リレー接点７ａとそれぞれ直列に接続された補助リレー接点１２２ａａ〜１２２ｎａとにより構成されており、図１７及び図１８に示すように各接点が閉成することによりトリップコイルの励磁指令が発信される。すなわち、停電時には、グループごとに同時に出される励磁指令により、当該遮断器のトリップコイルが同時に励磁され開路する。この開路は、グループ単位で予め決められた順序で行われる。なお、主回路母線低電圧検出部２１、電圧測定装置１２１、電圧降下演算部及びグループ化部１２２、励磁指令発信部１２３がこの発明における制御手段を構成している。なお、この場合も、遮断器のトリップコイルの最低動作電圧を基準に許容電圧降下値を決めてもよい。
【００４１】
これによって、全ての遮断器の開路が完了するまでの時間を短縮できる。その結果、遮断器の順次開路の途中に復電して補機が起動し系統やプラントに悪影響を及ぼすおそれを小さくできるという効果がある。
なお、以上の実施の形態においては、負荷開閉手段として遮断器の例を示したが、永久磁石で閉路状態が維持される真空電磁開閉器等であってよい。
【図面の簡単な説明】
【００４２】
【図１】この発明の実施の形態１である補機の主回路結線図である。
【図２】負荷開閉手段の制御装置の構成を示す構成図である。
【図３】図２の負荷開閉手段の制御装置の制御ロジック図である。
【図４】実施の形態２である負荷開閉手段の制御装置の構成を示す構成図である。
【図５】図４の負荷開閉手段の制御装置の制御ロジック図である。
【図６】実施の形態３である負荷開閉手段の制御装置の構成を示す構成図である。
【図７】図６の負荷開閉手段の制御装置の制御ロジック図である。
【図８】実施の形態４である補機の主回路結線図である。
【図９】負荷開閉手段の制御装置の構成を示す構成図である。
【図１０】図９の負荷開閉手段の制御装置の制御ロジック図である。
【図１１】実施の形態５である負荷開閉手段の制御装置の構成を示す構成図である。
【図１２】図１１の負荷開閉手段の制御装置の制御ロジック図である。
【図１３】実施の形態６である負荷開閉手段の制御装置の構成を示す構成図である。
【図１４】図１３の負荷開閉手段の制御装置の制御ロジック図である。
【図１５】実施の形態７である負荷開閉手段の制御装置の構成を示す構成図である。
【図１６】図１５の負荷開閉手段の制御装置の制御ロジック図である。
【図１７】実施の形態８である負荷開閉手段の制御装置の構成を示す構成図である。
【図１８】図１７の負荷開閉手段の制御装置の制御ロジック図である。
【符号の説明】
【００４３】
４ａ〜４ｎ  遮断器、４ａｔ〜４ｎｔ  トリップコイル、５ａ〜５ｎ  補機、
７  低電圧リレー、７ａ  低電圧リレー、１１ａ〜１１（ｎ−１）  補助リレー、
１１ａａ〜１１（ｎ−１）ａ  補助リレー接点、２１  主回路母線低電圧検出部、
２２  遮断器開信号発信部、２３  励磁指令発信部、３４  制御回路母線、
４２，５２  計時信号発信部、４２ａ〜４２ｎ，５２ａ〜５２ｎ  タイマーリレー、
４２ａａ〜４２ｎａ，５２ａａ〜５２ｎａ  タイマーリレー接点、
４３，５３  励磁指令発信部、６１  補機電流記憶部、６２優先順位演算部、
６２ａ〜６２ｎ  補助リレー、６２ａａ〜６２ｎａ  補助リレー接点、
６３  励磁指令発信部、７２  電流監視装置、７２ａ  電流リレー、
７２ａａ  電流リレー接点、７３  励磁指令発信部、８１  電圧監視装置、
８１ａ  電圧リレー、８１ａａ  電圧リレー接点、８３  励磁指令発信部、
１１２  グループ化部、１１２ａ〜１１２ｎ  補助リレー、
１１２ａａ〜１１２ｎａ  補助リレー接点、１１３  励磁指令発信部、
１２１  電圧測定部、１２２  電圧降下演算及びグループ化部、
１２２ａ〜１２２ｎ  補助リレー、１２２ａａ〜１２２ｎａ  補助リレー接点、
１２３  励磁指令発信部。
【図１】
2010154702.tif 000003
【図２】
2010154702.tif 000004
【図３】
2010154702.tif 000005
【図４】
2010154702.tif 000006
【図５】
2010154702.tif 000007
【図６】
2010154702.tif 000008
【図７】
2010154702.tif 000009
【図８】
2010154702.tif 000010
【図９】
2010154702.tif 000011
【図１０】
2010154702.tif 000012
【図１１】
2010154702.tif 000013
【図１２】
2010154702.tif 000014
【図１３】
2010154702.tif 000015
【図１４】
2010154702.tif 000016
【図１５】
2010154702.tif 000017
【図１６】
2010154702.tif 000018
【図１７】
2010154702.tif 000019
【図１８】
2010154702.tif 000020